(57)【要約】      （修正有）【課題】トラックの荷台床下に取り付けて用いる用具箱であって、蓋の開閉を、周辺の機材等と衝突することなく行うことができ、かつ、蓋を開けた際に大きく開口でき、中の用具の出し入れがやり易い用具箱を提供する。【解決手段】用具箱１０は、前側の壁に開口１２を備えた箱型の本体と、開口１２を開閉する蓋５０と、本体の側壁に設けられ蓋５０を開閉する蓋開閉機構とを備える。蓋開閉機構は、第一回転軸において本体の側壁の軸止めされた回転体と、回転体上に設けた第二回転軸において一端が軸止めされたアーム４０を備える。アーム４０の他端に蓋５０が取り付けられており、蓋５０は、第一回転軸を中心にした回転移動と、第二回転軸を中心にした回転移動の双方又は一方により開閉する。【選択図】図６
0003229779.tif 000002
【実用新案登録請求の範囲】
【請求項１】
前側壁に開口を備えた箱型の本体と、前記開口を開閉する蓋と、前記本体の側壁に設けられ前記蓋を開閉する蓋開閉機構とを備えた用具箱であって、
前記蓋開閉機構は、
第一回転軸において前記本体の側壁の軸止めされた回転体と、
前記回転体上に設けた第二回転軸において一端が軸止めされたアームを備え、
前記アームの他端には前記蓋が取り付けられたことを特徴とする車両の荷台床下に取り付けて用いる用具箱。
【請求項２】
前記蓋は、前記第一回転軸を中心にした回転移動と、前記第二回転軸を中心にした回転移動の双方又は一方により開閉することを特徴とする
請求項１に記載の用具箱。
【請求項３】
操作者の開閉操作による蓋の移動に追従して、蓋の回転移動の中心軸が、第一回転軸と第二回転軸との間で移動することを特徴とする
請求項１又は請求項２に記載の用具箱。
【請求項４】
前記回転体が、前記蓋を閉じる際の前記第二回転軸を軸とした前記アームの回転移動を妨げる係止突起を備えることを特徴とする
請求項１から請求項３のいずれかに記載の用具箱。
【請求項５】
前記蓋開閉機構が、前記本体の両側面に設けられたことを特徴とする
請求項１から請求項４のいずれかに記載の用具箱。
【請求項６】
前側壁の全面に開口を備えた箱型の本体と、前記開口を開閉する蓋と、前記本体の左右の側壁の内側に設けられ前記蓋を開閉する蓋開閉機構を備えた用具箱であって、
前記蓋開閉機構は、
第一回転軸において前記本体の側壁の軸止めされた回転体と、
前記回転体上に設けた第二回転軸において一端が軸止めされたアームを備え、
前記アームの他端には前記蓋が固着されており、
前記蓋の開閉の際、操作者の開閉操作による蓋の移動に追従して蓋の回転移動の中心軸が第一回転軸と第二回転軸の間で移動し、その結果前記蓋は前記本体の前側壁と前記本体の上壁の外形に沿った軌跡を描いて開閉されることを特徴とする車両の荷台床下に取り付けて用いる用具箱。
【請求項７】
前記軌跡は、前記本体の前側壁と前記本体の上壁の外形から１０ｃｍ離れた距離を持って描かれることを特徴とする請求項６に記載の用具箱。
【考案の詳細な説明】
【技術分野】
【０００１】
トラックの荷台床下に取り付けて用いる用具箱に関する。
【背景技術】
【０００２】
従来より、トラックの運転手等が日常用いる用具箱がトラックの荷台床下に取り付けられている。トラックの荷台の床下は、通常、使うことなく空いており、比較的大きな空間であるので、用具箱を載置するのに都合が良い。図１０に従来の用具箱の一例を示す。用具箱１００は、トラックの荷台１１０の床下に載置されている。載置のやり方は様々であるが、例えば、トラックの荷台１１０の床下に用具箱を載置するためのステーを取り付け（図示せず）、ステーに用具箱を載置する。
【０００３】
通常、トラックの側面の、荷台の下方には、トラックのタイヤ等を衝突から護るためのサイドガード１０４が取り付けてある。用具箱１００はサイドガード１０４よりも内側に載置することになるため、通常、用具箱の蓋の開閉や内容物の出し入れに不便なことが多かった。例えば用具箱１００では、蓋１０２は、上方の二つのバッチン錠１０６を外し、蓋の下方に取り付けた蝶番を軸に片開きに開くところ、サイドガード１０４が邪魔になって、蓋を全開するのは困難であった。また、開いた蓋が邪魔になって用具の出し入れがやりにくいという問題もあった。
【０００４】
特許文献１に、車両の荷台の床下に取り付ける工具箱に関する考案が記載されているが、特許文献１に記載の考案は、蓋の開閉に関する課題を解決対象としていない。
【先行技術文献】
【特許文献】
【０００５】
【特許文献１】実開昭６１−５２５１
【考案の概要】
【考案が解決しようとする課題】
【０００６】
トラックの荷台床下に取り付けて用いる用具箱であって、蓋の開閉を、周辺の機材等と衝突することなく行うことができ、かつ、蓋を開けた際に大きく開口でき、中の用具の出し入れがやり易い用具箱を提供することを課題とする。
【課題を解決するための手段】
【０００７】
（１）前側壁に開口を備えた箱型の本体と、前記開口を開閉する蓋と、前記本体の側壁に設けられ前記蓋を開閉する蓋開閉機構とを備えた用具箱であって、前記蓋開閉機構は、第一回転軸において前記本体の側壁の軸止めされた回転体と、前記回転体上に設けた第二回転軸において一端が軸止めされたアームを備え、前記アームの他端には前記蓋が取り付けられたことを特徴とする車両の荷台床下に取り付けて用いる用具箱によって課題を解決する。
（２）前記蓋は、前記第一回転軸を中心にした回転移動と、前記第二回転軸を中心にした回転移動の双方又は一方により開閉することを特徴とする（１）に記載の用具箱によって課題を解決する。
（３）操作者の開閉操作による蓋の移動に追従して、蓋の回転移動の中心軸が、第一回転軸と第二回転軸との間で移動することを特徴とする（１）又は（２）に記載の用具箱によって課題を解決する。
（４）前記回転体が、前記蓋を閉じる際の前記第二回転軸を軸とした前記アームの回転移動を妨げる係止突起を備えることを特徴とする（１）から（３）のいずれかに記載の用具箱によって課題を解決する。
（５）前記蓋開閉機構が、前記本体の両側面に設けられたことを特徴とする（１）から（４）のいずれかに記載の用具箱によって課題を解決する。
（６）前側壁の全面に開口を備えた箱型の本体と、前記開口を開閉する蓋と、前記本体の左右の側壁の内側に設けられ前記蓋を開閉する蓋開閉機構を備えた用具箱であって、前記蓋開閉機構は、第一回転軸において前記本体の側壁の軸止めされた回転体と、前記回転体上に設けた第二回転軸において一端が軸止めされたアームを備え、前記アームの他端には前記蓋が固着されており、前記蓋の開閉の際、操作者の開閉操作による蓋の移動に追従して蓋の回転移動の中心軸が第一回転軸と第二回転軸の間で移動し、その結果前記蓋は前記本体の前側壁と前記本体の上壁の外形に沿った軌跡を描いて開閉されることを特徴とする車両の荷台床下に取り付けて用いる用具箱によって課題を解決する。
（７）前記軌跡は、前記本体の前側壁と前記本体の上壁の外形から１０ｃｍ離れた距離を持って描かれることを特徴とする（６）に記載の用具箱によって課題を解決する。
【考案の効果】
【０００８】
蓋が開閉する際、蓋は、第一回転軸を中心に行われる回転移動と、第二回転軸を中心に行われる回転移動の双方又は一方を用いて開閉する。また、第二回転軸は、第一回転軸を中心に回転移動する回転体上に設けられている。このため、蓋は、開閉の際、用具箱本体の外形、特に前方から上方にかけての外形に沿うような軌跡を描いて移動することができる。この結果、用具箱は、車両の荷台の床下という狭い空間に取り付けても、床下の種々の機材等と衝突することなく蓋を開けることができ、また、用具箱の開口部を全面開口することができる。
【図面の簡単な説明】
【０００９】
【図１】実施例１の用具箱をトラックの荷台床下に取り付けた状態を示す。
【図２】実施例１の用具箱をトラックの荷台床下に取り付けた状態を示す。
【図３】実施例１の用具箱をトラックの荷台床下に取り付けた状態を示す。
【図４】実施例１の用具箱の外観を示す。
【図５】実施例１の用具箱の蓋を開けた状態を示す。
【図６】実施例１の用具箱の蓋の開く過程を示す。
【図７】実施例１の用具箱の開閉機構を示す。
【図８】実施例１の用具箱の開閉機構を示す。
【図９】実施例１の用具箱の開閉機構を示す。
【図１０】従来例を示す。
【考案を実施するための形態】
【実施例１】
【００１０】
図１から図３に、トラック１の荷台２の床下に用具箱１０取り付けた状態を示す。
【００１１】
図１では、荷台２の床下に取り付けた用具箱１０をトラックの側面から見た状態を示し、図２では、荷台２の床下に取り付けた用具箱１０を、用具箱１０に接近して見た状態を示す。図２及び図３に示す通り、トラックの荷台床下にステー５を取り付けステー５に用具箱１０を載置する。図１に示す通り、トラックを衝突から護るためのサイドガード４が用具箱１０よりも外側に存する。トラックの荷台床下の空間の態様は様々である。よって、用具箱１０を載置する場所は、トラックの走行の支障にならないように、また、用具箱１０を取り付けた際に用具箱１０の蓋の開閉や用具の出し入れが行いやすいように、サイドガード４等の位置等、荷台床下の空間の態様を考慮して、トラック毎に決定する。
【００１２】
図３の（ａ）に用具箱１０の蓋５０を閉めた状態を示し、（ｂ）に用具箱の蓋５０を半分ほど開けた状態を示す。用具箱１０の左右の側壁の内側には、開閉機構ボックス２０が備わる。
【００１３】
図４に用具箱１０の外観を示す。用具箱１０は、前方の開放部１２（図６）を塞ぐ蓋５０を備える。蓋５０には、開閉作業を補助する取っ手５５が備わる。またトラックの走行時に蓋５が開くことのないようロック１６が備わる。用具箱１０の左右の側壁の内側には、開閉機構ボックス２０が備わる。
【００１４】
図５に、用具箱１０の蓋５０が開き用具箱１０の内部が見えている状態を示す。蓋５０はアーム４０に固着されている。アーム４０は、側壁１４に備えた開閉機構ボックス２０のスリット２１から外部に突出している。開閉機構ボックス２０にはカバー２５が施してある。
【００１５】
図６に、用具箱１０の蓋５０が開く際に蓋５０が描く軌跡を、（ａ）、（ｂ）、（ｃ）、（ｄ）の順に示す。（ａ）では、蓋５０は閉じている。（ｂ）では、蓋５０の取っ手（図示せず）が把持されて上方に引き上げられ、蓋は上方に少し移動している。（ｃ）では、蓋５０はさらに上方に移動している。（ｄ）では、蓋５０は用具箱１０の上壁と平行する位置に収まっている。（ｄ）では蓋５０が完全に開いた状態であり、用具箱１０の前方開放部１２は全面的に開放している。（ａ）から（ｄ）に示す通り、蓋５０が閉まった状態から開いた状態に至る際に蓋５０が描く軌跡は、用具箱１０に非常に近い空間を占める。具体的には、蓋５０の描く奇跡は、用具箱１０の表面から１０ｃｍ以上離れることなく描かれる。また、蓋５０を完全に開いた状態のとき用具箱の前方の開放部は全開する。この結果、用具箱の中の用具の出し入れの際に、蓋５０が出し入れを妨げることがない。蓋５０がこのような軌跡を描くのは、開閉機構ボックス２０に設けた機構に基づく。
【００１６】
図７から図９により、開閉機構ボックス２０の機構を説明する。開閉機構ボックス２０は、図５に示す通りカバー２５で覆われているころ、図７から図９では、説明のためにカバー２５を外した状態を示す。
【００１７】
図７に、開閉機構ボックス２０を構成する部材を示す。開閉機構ボックス２０には、回転体３０とアーム４０が備わる。アーム４０の一端が蓋受け４１となり蓋５０がねじ止め等で取り付けてある。回転体３０は、用具箱１０の側壁１４に軸止めしてあり、アーム４０の他端が回転体３０に軸止めしてある。回転体３０が側壁１４に軸止めしてある箇所を第一軸心３５と称し、アーム４０の他端が回転体に軸止めしてある箇所を第二軸心３６と称す。
【００１８】
回転体３０は、第一係合突起３１と第二係合突起３２を備える。第二係合突起は、後述の通り、蓋５０を閉める際にアーム４０と係合する。すなわち第二係合突起は、蓋５０を閉じる際に、アームの回転移動の中心軸を、第二軸心３６から第一軸心３５に切り替えるために機能する。
【００１９】
回転体３０は側壁１４とほぼ平行に配置されているところ、第二係合突起３２は側壁１４に近づく方向に向けて折り曲げられている。このため、蓋５０が閉じる際、第二軸心３６を軸にアーム４０が時計回りの方向に回転すると、アーム４０は、内側に向けて折り曲げられた第二係合突起３２と衝突し、アーム４０と回転体３０は第二係合突起３２において係合する。よって、引き続き、アーム４０にそれまでと同じ方向の力がはたらくと、アーム４０は、第一軸心３５を軸に、回転体３０と共に回転する。
【００２０】
開閉機構ボックス２０は、通常はカバー２５で覆われているところ、用具箱１０の側壁１４と、開閉機構ボックス２０のカバー２５との間には前方スリット２１と後方スリット２２が設けてある。図７と図８では、カバー２５を外した状態を示し、スリット２１が存する箇所を点線で示している。アーム４０は前方スリットから、開閉機構ボックスの外部に露出している。回転体３０は、後方スリット２２から、開閉機構ボックスの外部に露出している。
【００２１】
図８に、蓋５０を開く過程を、（ａ）、（ｂ）、（ｃ）、（ｄ）の順に示す。（ａ）では蓋５０が完全に閉じている。蓋５０を持ち上げると、（ｂ）に示す通り、蓋に固着されたアーム４０とアームと軸着された回転体３０が一体となって、第一軸心３５を軸に回転する。蓋５０をさらに上昇させると、（ｃ）に示す通り、第一軸心３５を軸にした回転体３０の回転は停止し、アーム４０は、第二軸心３６を軸に回転する。（ｄ）に示す通り、アーム４０は第二軸心３６を軸に回転移動し、蓋５０は用具箱１０の上壁と平行する位置に収まる。
【００２２】
図９に、蓋５０を閉じる過程を、（ａ）、（ｂ）、（ｃ）、（ｄ）の順に示す。（ａ）は蓋５０が全開している。蓋５０を下降させると、蓋に固着されたアーム４０が第二軸心３６を軸に回転する。このとき、回転体３０が第一軸心３５を軸に回転することはなく、回転体３０は静止している。扉５０をさらに降下させると、（ｂ）に示すとおり、アーム４０は第二係合突起３２と衝突する。アーム４０が第二係合突起３２と衝突した以降は、（ｃ）に示す通り、アーム４０は第二軸心３６を軸にした回転をしない。アーム４０は、第一軸心３５を軸にした回転体３０の回転により回転する。蓋５０をさらに下降させると、第一軸心３５を軸にした回転体３０の回転を伴なうアーム４０の回転により、（ｄ）に示す通り、蓋５０は閉じる。
【符号の説明】
【００２３】
１  トラック
２  荷台
３  荷台床
４  サイドガード
５  取付けステー
１０  用具箱
１２  前方開放部
１４  側壁
１６  ロック
２０  開閉機構ボックス
２１  前方スリット
２２  後方スリット
２５  カバー
３０  回転体
３１  第一係合突起
３２  第二係合突起
３５  第一軸心
３６  第二軸心
４０  アーム
４１  蓋受け
５０  蓋
５５  取っ手
１００  用具箱
１１０  荷台
１０４  サイドガード
１０６  バッチン錠
【図１】
0003229779.tif 000003
【図２】
0003229779.tif 000004
【図３】
0003229779.tif 000005
【図４】
0003229779.tif 000006
【図５】
0003229779.tif 000007
【図６】
0003229779.tif 000008
【図７】
0003229779.tif 000009
【図８】
0003229779.tif 000010
【図９】
0003229779.tif 000011
【図１０】
0003229779.tif 000012